(57)【要約】【課題】負荷機器への電力供給が制限される状況において負荷機器の使用における自由度を向上する。【解決手段】電力制御装置１７は複数の負荷機器１５への電力の供給および供給停止を切替え可能である。電力制御装置１７は記憶部２０と検出部１９と制御部２１とを有する。記憶部２０は負荷機器１５毎の優先度を記憶する。検出部１９は負荷機器１５への入力を検出する。制御部２１は限定モードにおいて電力の供給が停止された負荷機器１５への入力を検出部１９が検出するときに該負荷機器１５への電力を供給するように複数の負荷機器１５の少なくとも一部の優先度を変更する。限定モードにおいて優先度に基づいて一部の負荷機器１５の電力供給を停止することにより消費電力を所定の値未満に抑える。【選択図】図１
2014143823.tif 000002
【特許請求の範囲】
【請求項１】
複数の負荷機器への電力の供給および供給停止を切替え可能な電力制御装置であって、
前記負荷機器毎の優先度を記憶する記憶部と、
前記負荷機器への入力を検出する検出部と、
前記優先度に基づいて一部の負荷機器の電力供給を停止することにより消費電力を所定の値未満に抑える限定モードにおいて、電力の供給が停止された負荷機器への入力を前記検出部が検出するときに、該負荷機器への電力を供給するように前記複数の負荷機器の少なくとも一部の優先度を変更する制御部とを備える
ことを特徴とする電力制御装置。
【請求項２】
請求項１に記載の電力制御装置であって、前記制御部は、前記検出部の検出により電力が供給された負荷機器に対して電源ＯＦＦの入力を前記検出部が検出するときに、前記複数の負荷機器の優先度を変更前に戻し、戻した優先度に基づいて前記複数の負荷機器への電力の供給および供給停止を行うことを特徴とする電力制御装置。
【請求項３】
請求項１または請求項２に記載の電力制御装置であって、
前記記憶部は、前記限定モードにおいて電力を供給する負荷機器の決定に用いる消費電力を、負荷機器毎に記憶し、
前記制御部は、前記記憶部に消費電力を記憶していない負荷機器の消費電力を、該負荷機器への入力を前記検出部が検出するときに取得して、前記記憶部に記憶させる
ことを特徴とする電力制御装置。
【請求項４】
請求項３に記載の電力制御装置であって、前記制御部は、前記記憶部に消費電力を記憶していない負荷機器の消費電力を、該負荷機器に電力を供給し、該負荷機器への供給電力を検出することにより取得することを特徴とする電力制御装置。
【請求項５】
請求項１から請求項４のいずれか１項に記載の電力制御装置であって、前記制御部は、前記限定モードにおいて電力が供給される負荷機器のリストを作成することを特徴とする電力制御装置。
【請求項６】
請求項１から請求項５のいずれか１項に記載の電力制御装置であって、前記電力制御装置は蓄電池に充電された電力からの複数の負荷機器への電力の供給および供給停止を切替可能であることを特徴とする電力制御装置。
【請求項７】
複数の負荷機器と、請求項１から請求項６のいずれか１項に記載の電力制御装置とを備えることを特徴とする電力制御システム。
【請求項８】
複数の負荷機器毎に定められる優先度に基づいて一部の負荷機器にのみ電力を供給することにより消費電力を所定の値未満に抑える限定モードにおいて、電力の供給が停止された負荷機器への入力を検出する検出ステップと、
該負荷機器への電力を供給するように、前記複数の負荷機器の少なくとも一部の優先度を変更する変更ステップと、
変更された前記優先度に基づいて、前記複数の負荷機器の一部に電力を供給する供給ステップとを備える
ことを特徴とする電力制御方法。
【発明の詳細な説明】
【技術分野】
【０００１】
本発明は、合計の消費電力限定されるときに負荷機器に供給する電力を制御する電力制御装置、電力制御システム、および電力制御方法に関する。
【背景技術】
【０００２】
昨今、家庭などに設置される電力制御システムに、蓄電池の導入が進んでいる。蓄電池を有する電力制御システムにおいて、停電の発生時に蓄電池に蓄電した電力を負荷機器に供給することが提案されている（特許文献１参照）。
【先行技術文献】
【特許文献】
【０００３】
【特許文献１】特開２００５−２６１０３１号公報
【発明の概要】
【発明が解決しようとする課題】
【０００４】
特許文献１においては、負荷機器に優先度が付与されており、優先度の高い負荷機器に電力が供給される。しかし、このような電力制御方法では、停電の発生時に電力の供給されない、すなわち優先度の低い負荷機器を使用することができない。
【０００５】
したがって、かかる事情に鑑みてなされた本発明の目的は、負荷機器への電力供給が制限される状況において、負荷機器の使用に、より自由度を持たせることが可能な電力制御装置、電力制御システム、および電力制御方法を提供することにある。
【課題を解決するための手段】
【０００６】
上述した諸課題を解決すべく、第１の観点による電力制御装置は、
複数の負荷機器への電力の供給および供給停止を切替え可能な電力制御装置であって、
前記負荷機器毎の優先度を記憶する記憶部と、
前記負荷機器への入力を検出する検出部と、
前記優先度に基づいて一部の負荷機器の電力供給を停止することにより消費電力を所定の値未満に抑える限定モードにおいて、電力の供給が停止された負荷機器への入力を前記検出部が検出するときに、該負荷機器への電力を供給するように前記複数の負荷機器の少なくとも一部の優先度を変更する制御部とを備える
ことを特徴とするものである。
【０００７】
また、前記制御部は、前記検出部の検出により電力が供給された負荷機器に対して電源ＯＦＦの入力を前記検出部が検出するときに、前記複数の負荷機器の優先度を変更前に戻し、戻した優先度に基づいて前記複数の負荷機器への電力の供給および供給停止を行う
ことが好ましい。
【０００８】
また、前記記憶部は、前記限定モードにおいて電力を供給する負荷機器の決定に用いる消費電力を、負荷機器毎に記憶し、
前記制御部は、前記記憶部に消費電力を記憶していない負荷機器の消費電力を、該負荷機器への入力を前記検出部が検出するときに取得して、前記記憶部に記憶させる
ことが好ましい。
【０００９】
また、前記制御部は、前記記憶部に消費電力を記憶していない負荷機器の消費電力を、該負荷機器に電力を供給し、該負荷機器への供給電力を検出することにより取得する
ことが好ましい。
【００１０】
また、前記制御部は、前記限定モードにおいて電力が供給される負荷機器のリストを作成する
ことが好ましい。
【００１１】
また、前記電力制御装置は蓄電池に充電された電力からの複数の電力への電力供給および供給停止を切替可能である
ことが好ましい。
【００１２】
また、
複数の負荷機器と
複数の負荷機器への電力の供給および供給停止を切替え可能な電力制御装置であって、前記負荷機器毎の優先度を記憶する記憶部と、前記負荷機器への入力を検出する検出部と、前記優先度に基づいて一部の負荷機器にのみ電力を供給することにより消費電力を所定の値未満に抑える限定モードにおいて電力の供給が停止された負荷機器への入力を前記検出部が検出するときに該負荷機器への電力を供給するように前記複数の負荷機器の少なくとも一部の優先度を変更する制御部とを有する電力制御装置とを備える
ことを特徴とするものである。
【００１３】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００１４】
例えば、本発明の第２の観点として実現させた電力制御方法は、
複数の負荷機器毎に定められる優先度に基づいて一部の負荷機器にのみ電力を供給することにより消費電力を所定の値未満に抑える限定モードにおいて、電力の供給が停止された負荷機器への入力を検出する検出ステップと、
該負荷機器への電力を供給するように、前記複数の負荷機器の少なくとも一部の優先度を変更する変更ステップと、
変更された前記優先度に基づいて、前記複数の負荷機器の一部に電力を供給する供給ステップとを備える
ことを特徴としている。
【発明の効果】
【００１５】
上記のように構成された本発明に係る電力制御装置、電力制御システム、および電力制御方法によれば、負荷機器への電力供給が制限される状況において、負荷機器の使用に、より自由度を持たせることが可能である。
【図面の簡単な説明】
【００１６】
【図１】本発明の、第１の実施形態に係る電力制御装置を含む電力制御システムの概略構成を示す機能ブロック図である。
【図２】記憶部に記憶される、負荷機器毎に付与される優先度および消費電力の表である。
【図３】限定モードにおいて制御部が、変更前の優先度に基づいて、作成する使用可能な負荷機器のリストである。
【図４】限定モードにおいて制御部が、変更後の優先度に基づいて、作成する使用可能な負荷機器のリストである。
【図５】制御部が実行する限定モードにおける電力供給処理を示すフローチャートである。
【図６】限定モードへの切替前における各負荷機器への電力の供給状態を示す状態図である。
【図７】限定モードにおける各負荷機器への電力の供給状態を示す状態図である。
【図８】限定モードにおいて、居住者が負荷機器に入力をした状態を示す状態図である。
【図９】限定モードにおいて、負荷機器への入力により電力の供給が変化した状態を示す状態図である。
【図１０】電力制御部の操作パネルにおける入力によって、優先度を変更する状態を示す状態図である。
【図１１】限定モードにおいて、複数の負荷機器に対する入力に応じて、電力の供給を変動させた状態を示す状態図である。
【発明を実施するための形態】
【００１７】
以下、本発明の実施形態について、図面を参照して説明する。
【００１８】
まず、本発明の一実施形態に係る電流制御装置について説明する。図１は、第１の実施形態に係る電力制御装置を含む電力制御システムの概略構成を示す機能ブロック図である。
【００１９】
電力制御システム１０は、パワーコンディショナ１１、蓄電池１２、分電盤１３、スイッチ１４、負荷機器１５、負荷制御部１６、および電力制御装置１７を備える。
【００２０】
図１において、各機能ブロックを結ぶ実線は、電力の流れを表す。また、図１において、各機能ブロックを結ぶ破線は、制御信号または通信される情報の流れを表す。当該破線が示す通信の物理層は多様な伝送メディアを適用可能である。例えば、電力制御装置１７と、パワーコンディショナ１１、負荷機器１５、および負荷制御部１６との通信の物理層に、無線ルータを介した無線通信を適用可能である。無線ルータは電力制御装置１７に内蔵されていてもよく、また電力制御装置１７とは別に備えられてもよい。また、負荷制御部１６とスイッチ１４との通信の物理層にも、無線ルータを介した無線通信を適用可能である。また、スイッチ１４と負荷機器１５との通信の物理層としては、電力線搬送通信（ＰＬＣ：Power Line Communication）などの有線通信を適用可能である。電力制御装置１７と、パワーコンディショナ１１、負荷機器１５、および負荷制御部１６との通信に、例えばＥＣＨＯＮＥＴ  Ｌｉｔｅ（登録商標）を適用する。また、負荷制御部１６とスイッチ１４との通信に、例えばＺｉｇＢｅｅ（登録商標）のＳＥＰ２．０を適用する。
【００２１】
電力制御システム１０は、商用系統１８から供給される電力の他、蓄電池１２に充電された電力のうち放電された電力を、負荷機器１５に供給可能である。
【００２２】
パワーコンディショナ１１は、分電盤１３を介して商用系統１８から供給される交流電力を直流電力に変換して、蓄電池１２に充電する。また、パワーコンディショナ１１は、蓄電池１２から出力される直流電力を交流電力に変換して、分電盤１３に供給する。パワーコンディショナ１１は、電力制御装置１７の制御に基づいて、蓄電池１２の充放電を行う。
【００２３】
蓄電池１２は、例えばリチウムイオン電池、鉛蓄電池などの二次電池であって、充電された電力を放電可能である。蓄電池１２が放電した電力は、パワーコンディショナ１１および分電盤１３を介して、負荷機器１５に供給可能である。
【００２４】
分電盤１３は、商用系統１８およびパワーコンディショナ１１から供給される交流電力を複数の支幹に分岐させて各負荷機器１５に分配する。
【００２５】
スイッチ１４は、負荷制御部１６の制御に基づいて、分電盤１３から供給される電力の各負荷機器１５への供給および供給停止を切替える。また、スイッチ１４は、負荷機器１５に供給する供給電力を検出可能である。スイッチ１４は、負荷制御部１６と通信し、検出した供給電力を負荷制御部１６に通知する。スイッチ１４は、例えばスマートタップであってもよい。
【００２６】
電力制御システム１０に接続される負荷機器１５は、任意の数とすることができる。これらの負荷機器１５は、例えば、テレビ、エアコン、冷蔵庫など、種々の電化製品、および照明、サーバなどである。これらの負荷機器１５は、分電盤１３を介して、商用系統１８およびパワーコンディショナ１１に接続されて、電力が供給される。負荷機器１５は、負荷機器１５そのもの又はリモコンにより負荷機器１５への電源のＯＮおよびＯＦＦなどの多様な入力を検出可能である。負荷機器１５は電力制御装置１７と通信し、検出した入力を電力制御装置１７に通知する。また、負荷機器１５は、必要に応じて、負荷機器１５の消費電力などの情報を電力制御装置１７に通知可能である。
【００２７】
負荷制御部１６は、電力制御装置１７の指示に基づいて、スイッチ１４の切替えを制御する。また、負荷制御部１６はスイッチ１４と通信し、負荷機器１５に供給する供給電力を取得する。負荷制御部１６は電力制御装置１７と通信し、取得した供給電力を電力制御装置１７に通知する。
【００２８】
電力制御装置１７は、検出部１９、記憶部２０、および制御部２１を有する。
【００２９】
検出部１９は、通知される負荷機器１５への入力を検出する。記憶部２０は、分電盤１３から電力を供給される負荷機器１５毎の優先度および消費電力を記憶する。また、記憶部２０は、後述する限定モードにおいて用いる所定の値として、蓄電池１２の放電可能量を記憶する。制御部２１は、電力制御装置１７の各部位および電力制御システム１０の各部位の動作を制御する。例えば、制御部２１は、限定モードにおける電力供給、限定モードにおける使用可能な負荷機器１５のリストの作成、および新規負荷機器１５の消費電力の取得を行う。
【００３０】
次に、制御部２１の制御による、限定モードにおける電力供給について説明する。電力制御装置１７は、限定モードを含む複数の動作モードを有する。制御部２１は停電の発生時に動作モードを限定モードに切替える。制御部２１は、例えば商用系統１８から供給される電力を検出する電力計から検出された電力の変動に基づいて、また例えば外部ネットワークから通知される停電情報に基づいて、停電の発生を判別する。
【００３１】
限定モードへの切替え後、制御部２１は、所定の値（放電可能量）と各負荷機器１５の優先度および消費電力とを、記憶部２０から読出す。制御部２１は、消費電力の合計が所定の値未満となる範囲内で、優先度の高い順から、電力を供給する負荷機器１５を定める。ただし、後述する優先度の変更前には、消費電力の合計が所定の値未満となる負荷機器１５は予め定めておくことが可能である。それゆえ、限定モードにおいて電力を供給する負荷機器１５を予め定めておき、記憶部２０に記憶させ、制御部２１が読出す構成であってもよい。
【００３２】
制御部２１は、電力の供給を決めた一部の負荷機器１５に対して電力を供給するように、負荷制御部１６に指示する。また、制御部２１は、当該一部の負荷機器１５以外の負荷機器１５に対する電力の供給を停止するように、負荷制御部１６に指示する。したがって、制御部２１は、限定モードにおいて、優先度に基づいて一部の負荷機器１５の電力供給を停止することにより、消費電力を所定の値未満に抑える。
【００３３】
限定モードの実行中に、電力の供給が停止された負荷機器１５への入力、例えばＯＮ入力を検出部１９が検出すると、制御部２１は負荷機器１５の優先度を変更する。ただし、制御部２１は、記憶部２０に記憶させた優先度を更新するのではなく、変更前の優先度および変更後の優先度を記憶部２０に記憶させる。制御部２１は、消費電力を所定の値未満に抑えながら、入力を検出した負荷機器１５への電力を供給するように、負荷機器１５の優先度を変更する。
【００３４】
例えば、図２に示すように、変更前には、１階のサーバ、１階の冷蔵庫、１階の照明、１階の給湯器、１階のテレビ、２階の照明、２階のテレビ、２階のエアコン、２階のＰＣに優先度として、それぞれに１、２、３、４、５、６、７、８、９が付与されている。このような変更前の優先度において、１階のサーバ、１階の冷蔵庫、１階の照明、および１階の給湯器の消費電力の合計（ｐ１＋ｐ２＋ｐ３＋ｐ４）が所定の値未満であり、さらに１階のテレビの消費電力ｐ５を加えると所定の値を超えるとき、制御部２１は、１階のサーバ、１階の冷蔵庫、１階の照明、および１階の給湯器に電力を供給することを決定し、それ以外の負荷機器１５への電力の供給を停止する。
【００３５】
このような状態において、２階の照明への入力を当該照明が検知するとき、制御部２１は、検出部１９を介して当該入力の発生を検出するとともに、２階の照明の優先度を繰上げる。例えば、２階の照明の優先度を６から５に繰上げたときに、１から４までの優先度を付与された負荷機器１５の消費電力と２階の照明の消費電力の合計が所定の値未満であれば、制御部２１は２階の照明の優先度を５に定める。一方、１から４までの優先度を付与された負荷機器１５の消費電力と２階の照明の消費電力の合計が所定の値を超えるときには、制御部２１は２階の照明の優先度をさらに繰上げる。以後、２階の照明を含めた消費電力の合計が所定の値未満になるまで、制御部２１は２階の照明の優先度を繰上げる。優先度を定めると、制御部２１は変更した優先度に基づいて電力を供給する負荷機器１５を決定し、電力の供給および供給停止を実行する。
【００３６】
優先度の繰上げにより電力が供給される負荷機器１５が電源をＯＦＦにする入力を検出するとき、制御部２１は各負荷機器１５の優先度を変更前の優先度に戻す。制御部２１は、変更前の優先度に基づいて、電力を供給する負荷機器１５を決定し、電力の供給および供給停止を実行する。
【００３７】
次に、制御部２１の制御による限定モードにおける使用可能な負荷機器１５のリストの作成について説明する。制御部２１は、停電モードにおいて負荷機器１５毎の、電力供給の有無、優先度、優先度の繰上げ、および切替えの可否を示すリストを作成する。例えば、電力制御システム１０が例えば図２のような負荷機器１５を含む場合、制御部２１は、優先度の変更前には図３に示すリストを作成する。また、制御部２１は、優先度の変更後には図４に示すリストを作成する。作成したリストは、例えば、電力制御装置１７のディスプレイおよび電力制御装置１７と通信する携帯端末のディスプレイに表示可能である。
【００３８】
次に、制御部２１の制御による新規負荷機器１５の消費電力の自動取得について説明する。上述の限定モードにおいて、負荷機器１５の優先度を変更するために、各負荷機器１５の消費電力が用いられる。新規な負荷機器１５を電力制御システム１０に組込む場合には、当該負荷機器１５の消費電力を記憶部２０に記憶させる必要がある。制御部２１は、新規な負荷機器１５をスイッチ１４に接続すると、負荷制御部１６を介してスイッチ１４との通信により、新規な負荷機器１５が加えられたことを認識する。当該負荷機器１５の電源のＯＮ入力を検出部１９が検出すると、制御部２１は、当該負荷機器１５に接続されるスイッチ１４に、供給電力を検出させ、制御部２１に通知させる。制御部２１は取得した供給電力を当該負荷機器１５の消費電力として記憶部２０に記憶させる。
【００３９】
次に、制御部２１が実行する限定モードにおける電力供給処理について、図５のフローチャートを用いて説明する。制御部２１は、停電を検知するときに、限定モードにおける電力供給処理を開始する。
【００４０】
ステップＳ１００において、制御部２１は、記憶部２０から各負荷機器１５の消費電力および変更前の優先度を読出す。読出し後、プロセスはステップＳ１０１に進む。
【００４１】
ステップＳ１０１では、制御部２１は、電力を供給する負荷機器１５および供給を停止する負荷機器１５を決定する。また、制御部２１は、限定モードにおける使用可能な負荷機器１５のリストを作成する。リストを作成すると、プロセスはステップＳ１０２に進む。
【００４２】
ステップＳ１０２では、制御部２１は、ステップＳ１０１における決定に基づいて、一部のスイッチ１４に電力を供給させ、他のスイッチ１４に電力の供給を停止させるように、制御指令を出力する。制御指令を出力すると、プロセスはステップＳ１０３に進む。
【００４３】
ステップＳ１０３では、制御部２１は、いずれかの負荷機器１５への入力を検出部１９が検出しているか否かを判別する。負荷機器１５への入力を検出するときには、プロセスはステップＳ１０４に進む。負荷機器１５への入力を検出しないときには、プロセスはステップＳ１１５に進む。
【００４４】
ステップＳ１０４では、制御部２１は、検出部１９が検出した入力が電源のＯＦＦ入力であるか否かを判別する。ＯＦＦ入力でないときには、プロセスはステップＳ１０５に進む。ＯＦＦ入力であるときには、プロセスはステップＳ１１６に進む。
【００４５】
ステップＳ１０５では、制御部２１は、入力を検出した負荷機器１５が電力の供給を停止された負荷機器１５であるか否かを判別する。停止中の負荷機器１５であるときには、プロセスはステップＳ１０６に進む。電力が供給されている負荷機器１５であるときには、プロセスはステップＳ１１５に進む。
【００４６】
ステップＳ１０６では、制御部２１は、入力を検出した負荷機器１５が記憶部２０に記憶されているか否かを判別する。記憶されていないときには、プロセスはステップＳ１０７に進む。記憶されているときには、プロセスはステップＳ１１１に進む。
【００４７】
ステップＳ１０７では、制御部２１は、負荷制御部１６を介してスイッチ１４に、入力を検出した負荷機器１５に電力を供給させる。電力を供給すると、プロセスはステップＳ１０８に進む。
【００４８】
ステップＳ１０８では、制御部２１は、ステップＳ１０７において電力を供給させたスイッチ１４に、供給電力を検出させる。供給電力を検出させると、プロセスはステップＳ１０９に進む。
【００４９】
ステップＳ１０９では、制御部２１は、ステップＳ１０７において電力を供給させたスイッチ１４に、電力の供給を停止させる。電力の供給を停止させると、プロセスはステップＳ１１０に進む。
【００５０】
ステップＳ１１０では、制御部２１は、記憶部２０に、ステップＳ１０８において検出した供給電力を、当該負荷機器１５の消費電力として記憶させる。記憶後、プロセスはステップＳ１１１に進む。
【００５１】
ステップＳ１１１では、制御部２１は、記憶部２０から負荷機器１５の消費電力および現在の優先度を読出す。記憶部２０からの読出し後、プロセスはステップＳ１１２に進む。
【００５２】
ステップＳ１１２では、制御部２１は、ステップＳ１０３で入力を検出した負荷機器１５に電力が供給されるように、負荷機器１５の優先度を変更する。優先度の変更後、プロセスはステップＳ１１３に進む。
【００５３】
ステップＳ１１３では、制御部２１は、電力を供給する負荷機器１５および供給を停止する負荷機器１５を決定する。また、制御部２１は、使用可能な負荷機器１５のリストを作成する。リストを作成すると、プロセスはステップＳ１１４に進む。
【００５４】
ステップＳ１１４では、制御部２１は、ステップＳ１１３における決定に基づいて、一部のスイッチ１４に電力を供給させ、他のスイッチ１４に電力の供給を停止させるように、制御指令を出力する。制御指令を出力すると、プロセスはステップＳ１１５に進む。
【００５５】
ステップＳ１１５では、制御部２１は、停電が継続中であるか否かを判別する。停電が継続中であるときには、プロセスはステップＳ１０３に戻る。停電から復旧しているときには、限定モードにおける電力供給処理を終了する。
【００５６】
前述のように、ステップＳ１０４において、検出部１９が検出した入力がＯＦＦ入力であるときには、プロセスはステップＳ１１６に進む。ステップＳ１１６では、制御部２１は、入力が検出された負荷機器１５が限定モードにおいて優先度が繰上げられた負荷機器１５であるか否かを判別する。優先度を繰上げた負荷機器１５であるときには、プロセスはステップＳ１１７に進む。優先度を繰上げた負荷機器１５でないときには、プロセスは前述のステップＳ１１５に進む。
【００５７】
ステップＳ１１７では、制御部２１は、ステップＳ１０３において入力が検出された負荷機器１５に関して、優先度を変更前の優先度に戻す。優先度を戻すと、プロセスは前述のステップＳ１１３に進む。
【００５８】
以上のような構成の本実施形態の電力制御装置によれば、負荷機器１５への入力により、限定モードにおいて電力の供給が停止されていた当該負荷機器１５の優先度が変わる。したがって、消費電力の合計が所定の値未満となる範囲内で、使用者が入力した負荷機器１５を使用可能となる。
【００５９】
また、本実施形態の電力制御装置によれば、電力制御装置１７に対して入力することなく、各負荷機器１５への入力により優先度の変更が可能となる。このような構成の効果について、以下に説明する。
【００６０】
図６は、２階建ての家屋に電力制御システム１０を導入した例を示している。このような仕様態様において、停電が発生していないときには、家屋内の全負荷機器１５を使用可能である（各負荷機器における“○”参照）。
【００６１】
停電が発生し、電力制御装置１７の動作モードが限定モードに切替わると、図７に示すように、電力制御装置１７は分電盤１３を商用系統１８から解列させ、例えば、優先度の低い負荷機器１５である１階のテレビ、２階の照明、２階のテレビ、２階のエアコン、および２階のパソコンへの電力の供給を停止する（各負荷機器１５における“×”参照）。
【００６２】
このような状況において２階の居住者が、例えばリモコンを用いて、一部の負荷機器１５である２階の照明への電源をＯＮにする操作をすると（図８参照）、電力制御装置１７は当該操作に相当する入力を検出し、優先度の変更および電力供給の制御を行なう。その結果、２階の照明に電力が供給され、且つ全体の消費電力を所定の値未満に抑えるために１階の給湯器への電力の供給が停止される（図９参照）。したがって、２階の居住者自身が移動することなく、使用を望む負荷機器１５への入力により電力の供給を受けることが可能となる。例えば、電力制御装置１７の操作パネルへの入力により優先度を変更可能な構成も考えられるが、操作パネルの設置場所が、例えば１階である場合には、居住者が移動する必要がある（図１０参照）。このような構成に比べ、本実施形態の電力制御装置では、使用を望む負荷機器１５の設置場所から移動する必要性が無く、使用者の利便性を向上可能である。
【００６３】
また、本実施形態の電力制御装置によれば、優先度を繰上げにより電力が供給される負荷機器１５の電源をＯＦＦにする入力を検出すると、優先度が元に戻される。したがって、当該負荷機器１５の使用後には、元々優先度の高かった他の負荷機器１５を使用可能となる。
【００６４】
また、本実施形態の電力制御装置によれば、記憶部２０に記憶していない負荷機器１５の消費電力を自動的に検出して記憶するので、使用者による設定が不要である。
【００６５】
本発明を諸図面や実施形態に基づき説明してきたが、当業者であれば本開示に基づき種々の変形や修正を行うことが容易であることに注意されたい。従って、これらの変形や修正は本発明の範囲に含まれることに留意されたい。
【００６６】
例えば、本実施形態において、電力制御装置１７および負荷機器１５間の無線通信により、負荷機器１５への入力を電力制御装置１７の検出部１９が検出する構成であるが、検出部１９による負荷機器１５への入力の検出方法は、他の方法であってもよい。例えば、負荷機器１５が通信機能を有していなくても、電力の供給を停止した負荷機器１５に瞬間的に電力の供給および供給停止を行わせ、電力供給中の供給電力と限定モードへの切替前の供給電力との比較に基づいて、当該負荷機器１５への入力を検知することも可能である。すなわち、負荷機器１５が入力を検出することにより供給電力が限定モード切替前から変動すると考えられる。それゆえ、前述の比較を周期的に行うことにより、負荷機器１５への入力を検出可能である。
【００６７】
また、本実施形態において、負荷機器１５への入力による優先度の繰上げは、単一の負荷機器１５に限定されない。たとえば、限定モードにおいて電力の供給が停止された複数の負荷機器１５に電力が供給されるように優先度を変更することも可能である。例えば、図１１に示すように、２階の照明および２階のエアコンへの入力を検出部１９が検出すると、変更前には優先度の高かった１階の給湯器、および更に１階の冷蔵庫への電力の供給を停止させ、２階の照明および２階のエアコンに電力を供給させることが可能である。
【符号の説明】
【００６８】
１０  電力制御システム
１１  パワーコンディショナ
１２  蓄電池
１３  分電盤
１４  スイッチ
１５  負荷機器
１６  負荷制御部
１７  電力制御装置
１８  商用系統
１９  検出部
２０  記憶部
２１  制御部
【図１】
2014143823.tif 000003
【図２】
2014143823.tif 000004
【図３】
2014143823.tif 000005
【図４】
2014143823.tif 000006
【図５】
2014143823.tif 000007
【図６】
2014143823.tif 000008
【図７】
2014143823.tif 000009
【図８】
2014143823.tif 000010
【図９】
2014143823.tif 000011
【図１０】
2014143823.tif 000012
【図１１】
2014143823.tif 000013